(57)【要約】【課題】  本発明は刺胞動物または海綿動物のような特に水槽用の水生動物の繁殖による養殖のための支持体（１０）を提案する。【解決手段】  この支持体は、少なくとも１つの切片（８）を受入れるための上側頭部（１４）と、特に養殖装置において、或いは変更例として搬送容器において支持体（１０）を留めるための下側幹部（１６）とを備えており、この幹部（１６）は、頭部が養殖動物を表示するための基部を構成するように頭部（１４）から分離されることができることを特徴としている。また、本発明はこのような支持体を備えた装置を提案する。【選択図】      図２
2005006655.tif 000002
【特許請求の範囲】
【請求項１】
刺胞動物または海綿動物のような、特に水槽用の水生動物（２）の繁殖による養殖のための支持体（１０）において、少なくとも１つの切片（８）を受入れるための上側頭部（１４）と、特に養殖装置内、或いは搬送容器内で前記支持体（１０）を留めるための下側幹部（１６）とを具備しており、前記幹部（１６）は、前記頭部が、養殖のための動物を表示するための基部を構成するように前記頭部（１４）から分離されることができることを特徴とする支持体（１０）。
【請求項２】
少なくとも表示基部を構成する前記上側頭部（１４）は、鉱物と同様な材料で形成されていることを特徴とする請求項１に記載の支持体。
【請求項３】
前記頭部（１４）の頂面は、動物（２）の少なくとも１つの切片（８）を受入れるための少なくとも１つのキャビテイ（１８）を備えていることを特徴とする請求項１および２のうちの一方の項に記載の支持体。
【請求項４】
前記切片（８）は、留め手段（１２）により、特にエポキシ接着剤、シアノアクリレートまたは即硬化性セメントによる接着剤接合により、前記頭部（１４）のキャビテイ（１８）内に留められていることを特徴とする請求項３に記載の支持体。
【請求項５】
少なくとも前記頭部（１４）は、セメント、砂、炭酸カルシウム、水酸化カルシウム、ポゾラン、天然岩および軽石から選択される１つまたはそれ以上の鉱物成分の混合物をモールドモールド成形することにより形成されていることを特徴とする前記すべての請求項のうちのいずれか１つの項に記載の支持体。
【請求項６】
上側頭部（１４）と下側幹部（１６）との間に、これらの組付けを許容するために連結手段を具備していることを特徴とする前記すべての請求項のうちのいずれか１つの項に記載の支持体。
【請求項７】
前記頭部（１４）は、その下面（１９）に、特に下側幹部（１６）を受入れるためのハウジング（２１）を備えていることを特徴とする前記すべての請求項のうちのいずれか１つの項に記載の支持体。
【請求項８】
前記下側幹部（１６）は、前記頭部（１４）の下面との組付け後に協力する当接上面（２５）を有する半径方向のフランジ（２３）を備えていることを特徴とする請求項７に記載の支持体。
【請求項９】
前記頭部（１４）は、前記幹部（１６）が中央で下方に延びている水平の下面が後で基部の下面を構成するディスクの全形状を有していることを特徴とする前記すべての請求項のうちのいずれか１つの項に記載の支持体。
【請求項１０】
支持体は、前記幹部（１６）の上端部と前記頭部（１４）との間の接合部に機械的強さの低い帯域（２０）を備えていることを特徴とする請求項９との組合せた請求項１ないし６のうちのいずれか１つの項に記載の支持体。
【請求項１１】
前記幹部（１６）の上端部と前記頭部（１４）との間の接合部に破断開始部（２２）を備えていることを特徴とする請求項１０に記載の支持体。
【請求項１２】
前記幹部（１６）は、これを後で前記頭部（１４）から分離し易くするように、同様だが、異なる密度および組成の混合物を使用して単一部片としてモールド成形することにより形成されていることを特徴とする請求項１０および１１のうちのいずれかの１つの項との組合せの請求項５に記載の支持体。
【請求項１３】
前記すべての請求項のうちのいずれか１つの項に記載の少なくとも１つの支持体（１０）を具備し、刺胞動物または海綿動物のような特に水槽用の水生動物の繁殖による養殖のための装置において、支持体（１０）の幹部（１６）を受入れるための少なくとも１つのハウジング（２８）を有する少なくとも１つのほぼ水平のトレー（２６）を具備していることを特徴とする養殖のための装置。
【請求項１４】
前記水平のトレー（２６）は、フレーム（３０）と、各セルが支持体（１０）の幹部（１６）用のハウジング（２８）を構成する格子（３２）とを備えていることを特徴とする請求項１３に記載の装置。
【請求項１５】
前記支持体（１０）の下側幹部（１６）は、前記水平のトレー（２６）と一体であることを特徴とする請求項１２に記載の装置。
【発明の詳細な説明】
【技術分野】
【０００１】
本発明は特に水槽用の「根付き」の水生動物の繁殖による養殖のための支持体、およびこのような支持体を備えた装置に関する。
【背景技術】
【０００２】
多くの生きている種の水生動物が、通常、水槽用の試料を得るように国際的に売買されている。
【０００３】
これらの水生動物は、例えば、珊瑚のような門刺胞動物、または海綿動物のような門海綿動物に属する。
【０００４】
これは、大人の動物のすべてまたは一部、例えば、珊瑚の場合、幹部が、生態学的結果にかかわらず、しばしば自然環境から取出される理由である。
【０００５】
かくして、海床、特に珊瑚床は、過剰に取出される種だけではなく、一部を形成するその生態系も危険にさらされる程度まで取出されることをこうむっている。
【０００６】
これらの動物のうちの一部から記念品の形成のような他の使用が需要、従って、取出し率を増すだけである。
【０００７】
自然環境からの水生動物の取出し率を低減し、この環境を保護するために、これらの種の幾つかの養殖を発展させることが望ましい。
【０００８】
このような種の養殖では、特に繁殖または砕片分離技術、すなわち、切片を使用する動物の人造繁殖が使用されている。切片は一般に「親」の動物から取られる砕片よりなり、この砕片は次いで「親」の動物と同じ特性を有する動物になるまで成長する。
【０００９】
切片を構成する砕片は一般に大きさがほぼ２、３センチメートルであり、この大きさはその発育が影響されないかぎり、「親」の動物にとって無視できる。
【００１０】
繁殖を使用する多くの養殖装置がすでに知られているが、これらの装置は全く満足するものではない。
【００１１】
詳細には、水生動物の切片が例えばワイヤ型支持体に取付けられるが、切片の成長後にかくして得られた動物は次いで取外され、ときどき、販売することができるように引き剥がされなければならない。
【発明の開示】
【発明が解決しようとする課題】
【００１２】
かくして、動物は弱くなり、支持体からの分離中、および次いで市場に出すべく包装されるか、或いは仲介者または最終引受人へ搬送されるときに損傷されることがある。
【課題を解決するための手段】
【００１３】
これらの問題を解決するために、本発明は、刺胞動物または海綿動物のような特に水槽用の水生動物の繁殖による養殖のための支持体において、少なくとも１つの切片を受入れるための上側頭部と、特に養殖装置において、或いは変更例として搬送容器において支持体を留めるための下側幹部とを具備しており、前記幹部は、前記頭部が養殖動物を表示するための基部を構成するように頭部から分離されることができることを特徴とする支持体を提案する。
【００１４】
本発明によれば、切片から成長した水生動物は損傷の恐れから保護され、養殖支持体の頭部により構成された表示基部とともに搬送され、直接、市場に出される。
【００１５】
有利には、種の試料のたった２、３個の切片が自然水生環境から取出され、養殖に必要とされる切片を供給するのに十分に大きい群体を次々の繁殖により生じるように養殖される。
【００１６】
好ましくは、表示基部を構成する頭部は共同生息し、発育することができる異なる種の動物が繁殖される複数のキャビテイまたは溝を有している。
【００１７】
本発明の他の特徴によれば、
少なくとも表示基部を構成する上側頭部は鉱物と同様な材料で形成されている。  
頭部の頂面は、動物の少なくとも１つの切片を受入れるための少なくとも１つのキャビテイを備えている。  
切片は、留め手段により、特にエポキシ接着剤、シアノアクリレートまたは即硬化性セメントによる接着剤接合により頭部のキャビテイに留められている。  
少なくとも頭部は、セメント、砂、炭酸カルシウム、水酸化カルシウム、ポゾラン、天然岩および軽石から選択される１つまたはそれ以上の鉱物成分の混合物をモールドモールド成形することにより形成されている。  
支持体は上側頭部と下側幹部との間にそれらの組付けを許容するために連結手段を備えている。  
前記頭部は、その下面に、特に下側幹部上端部を受入れるためのハウジングを備えている。  
前記下側幹部は、前記頭部の下面との組付け後に協力する当接上面を有する半径方向のフランジを備えている。  
前記頭部は、幹部が中央で下方に延びている水平の下面が後で基部の下面を構成するディスクの全形状を有している。  
この支持体は、幹部の上端部と頭部との間の接合部に低い機械的強さの帯域を備えている。  
支持体は幹部の上端部と前記頭部との間の接合部に破断開始部を備えている。  
少なくとも頭部は、セメント、砂、炭酸カルシウム、水酸化カルシウム、ポゾラン、天然岩および軽石から選択される１つまたはそれ以上の鉱物成分の混合物をモールドモールド成形することにより形成されている。  
前記幹部は、これを後で前記頭部から分離し易くするように、同様だが、異なる密度および組成の混合物を使用して単一部片としてモールドモールド成形することにより形成されている。
【００１８】
また、本発明は、前記特徴のうちのいずれか１つによる少なくとも１つの支持体を備えている種類のものであって、刺胞動物または海綿動物のような特に水槽用の水生動物の繁殖による養殖のための装置において、支持体の幹部を受入れるための少なくとも１つのハウジングを有する少なくとも１つのほぼ水平のトレーを備えている養殖のための装置を提案する。
【００１９】
この装置の他の特徴によれば、
水平のトレーはフレームと、各セルが支持体の幹部用のハウジングを構成する格子とを備えている。  
前記支持体の下側幹部は、水平のトレーと一体である。  
この水平のトレーは、養殖テーブルを構成するように脚部を備えている。  
トレーのこれらの脚部は、養殖テーブルを海床のような床に固定するための手段を備えている。  
トレーは養殖水生動物を搬送するためのトレーよりなる。
【００２０】
前記支持体は、グリップ部分を構成することができるその幹部により、装置の養殖トレーに容易に且つすばやく嵌められ、かくして前記トレーの一体部分を形成することができる。
【００２１】
有利には、支持体の幹部が受入れられるハウジングを備えている水平トレーは、この目的で、特に支持体を輸出する目的で設計されている容器に嵌め込まれることができる搬送トレーを構成している。
【００２２】
本発明の他の特徴および利点は、理解のために添付図面が参照される下記の詳細な説明を読むことでわかるであろう。
【発明を実施するための最良の形態】
【００２３】
以下の説明において、同じ参照符号は同じ部材または同様な機能を果たす部材を示している。
【００２４】
水生動物を繁殖させることができるために、親の動物から１つまたはそれ以上の砕片を取り出さなければならなく、これらの砕片は養殖に必要とされる切片を構成する。
【００２５】
図１は親の水生動物２、この場合、海床の岩４に付けられ、枝６を有する珊瑚を示している。
【００２６】
好ましくは、水生動物２は、自然環境からの取出しを制限し、その後に、養殖が確立されるのに必要とされる切片すべつを供給するために、予め養殖され、次々の繁殖により得られた群体から生じる。
【００２７】
この目的で、切片８を得るのに、本発明の第１実施例によれば、枝６の端部から砕片が取出され、次いで切片８を図２に示されるもののような支持体１０に留められる。
【００２８】
切片８は、特にエポキシ接着剤、シアノアクリレートまたは即硬化性セメントを使用する接着剤接合のような任意の適切な留め手段１２により支持体に留められる。
【００２９】
養殖支持体１０は、上側頭部１４と、支持体１０に留めるための下側幹部１６とを備えている。
【００３０】
前記頭部１４は、切片８を受入れるようになっており、この目的でその頂面に開口しているキャビテイ１８を有している。
【００３１】
頭部１４が有するキャビテイ１８の形状および数は変化してもよい。キャビテイ１８の形状は特に繁殖される動物の種類および留め手段１２により決まる。
【００３２】
軸方向断面では、キャビテイ１８はこの場合、ほぼ円形の断面を有しており、変更例として、矩形でもよく、また例えば、溝を形成する頭部１４の幅のすべて又は一部にわたって延びてもよい。
【００３３】
前記幹部１６は、円筒体の全形状を有しており、頭部１４は、同軸ディスクの形状を有しており、幹部１６は頭部１４より小さい直径のものであり、或いは変更例として、他の適切な幾何形状のものである。
【００３４】
有利には、下側幹部１６は、支持体１０を容易に操れる取っ手のグリップ部分を構成している。
【００３５】
支持体１０は、好ましくは、下側幹部１６の上端と頭部１４の下面１９との接合部に機械的強さの低い帯域２０を有している。
【００３６】
図２でわかるように、支持体２０は、有利には、上側頭部１４を下側幹部１６から分離し易くするように、例えば、幹部１６の周囲のすべてまたは一部のまわりに延びている環状ノッチの形状に形成された破断開始部２２を帯域２０に有している。
【００３７】
本発明によれば、下側幹部１６は、頭部１４から分離することができ、分離後、頭部１４が養殖動物のための表示基部を構成するようになっている。
【００３８】
第１実施例によれば、上側頭部および下側幹部１６は一体の支持体１０を構成しており、頭部１４の分離は、養殖動物のための表示基部が市場に出されるときに行われる不可逆操作である。
【００３９】
表示基部を形成する上側頭部１４は、自然環境において動物の生命維持体と同様な表示基部を形成するように、軽量で多孔性の天然または人造石のような鉱物と同様な材料で形成されている。
【００４０】
頭部１４および／または幹部１６は、例えば、天然石のように見える人造石をえるように、セメント、砂、炭酸カルシウム、水酸化カルシウム、ポゾラン、天然岩および軽石から選択される１つまたはそれ以上の鉱物成分の混合物をモールドモールド成形することによって形成される。
【００４１】
なお、僅かに切頭円錐形であってもよい頭部１４および幹部１６の軸対称の円筒形状はモールドから取出し易くする。
【００４２】
当然、特に、モールドモールド成形により非常に多くの形状を作り得、頭部１４の頂面および周囲の両方は例えば天然に見える凸凹な表面を有する。
【００４３】
従って、幹部１６は、第１実施例によれば、機械的にさほど強くなく、後に頭部から幹部を分離し易くするように、同様だが、異なる密度および組成の混合物を使用して頭部１４を有する単一部片としてモールド成形することによって有利に形成される。
【００４４】
有利には、頭部１４は、好ましくは例えば珊瑚および／または海綿動物のような異なる種に属する幾つかの水生動物を有する表示基部を得るように同時に養殖されることができる異なる動物切片８を受入れることができる複数のキャビテイ１８を有している。
【００４５】
図３は、養殖テーブル２４を備えている養殖装置の実施例を示している。
【００４６】
養殖テーブル２４は、本発明による支持体１０の円筒形幹部１６を受入れるための校正ハウジング２８有するほぼ水平のトレー２６を備えている。
【００４７】
この水平トレー２６は、フレーム３０および格子３２を備えており、格子３２の各セルは支持体１０の下側幹部１６が下方に挿入されるハウジング２８を構成している。
【００４８】
従って、このような水平トレー２６は形成し易く、また複数のハウジング２８を備えた構造を作るのに格子３２を使用しているため、特に安価である。
【００４９】
この場合、水平トレー２６は、固定手段３８により海床のような床３６に留められることができる養殖テーブル２４を構成するように脚部３４を有している。
【００５０】
固定手段３８は例えば、床３６に固着され、チェーンの端部を取付けるためのリングを頂面に有しているコンクリートブロックよりなり、チェーンの他端部は脚部３４のうちの１つに留められる。
【００５１】
かかる固定手段３８により、装置が自然環境にあるならば、養殖テーブル２４が海流にかかわらず固定位置に留まるようにすることが可能である。
【００５２】
変更例として、養殖テーブル２４は養殖水生動物が成長するのに必要とされる自然環境の条件を再現する装置の生簀に設置される。
【００５３】
有利には、海水に浸漬されるように設計されている装置の部材は、亜鉛めっきされた鋼または任意の他の適切な材料のような良好な耐腐食性を有する材料で形成されている。
【００５４】
養殖テーブル２４の脚部３４およびトレー２６は、例えば、フレーム３０に一体に溶接されてもよいし、或いは、例えば取外し可能な留め手段によりトレーから分離可能であるように形成されてもよい。
【００５５】
かくして、トレー２６またはその一部は、一方では水生動物が養殖されるために装置に設置されるときに、他方では、養殖の終了時に養殖動物を搬送するために使用されることができる搬送トレーを構成してもよい。
【００５６】
変更例として、養殖テーブル２４のトレー以外のトレーが装置のテーブル２４が、養殖のために選択された箇所で床３６に留まるように、動物を搬送するための操作に使用される。
【００５７】
図３は左から右に種々の成長段階、すなわち、初期の切片８から図１に示す「親」動物と同様な養殖水生動物が得られるまでを示している。
【００５８】
養殖動物２を市場に出す目的の搬送操作では、支持体１０の幹部１６は、留め／保持用の幹部１６を取扱い搬送トレーまたはこの目的で設計された搬送容器における相補ハウジングに挿入することができるように頭部１４と一体のままであることができる。
【００５９】
変更例として、幹部１６は、動物２と、支持体１０の頭部１４により形成された表示基部とよりなる組立体が包装されるように、養殖の終了時に頭部１４から分離される。
【００６０】
包装例（図示せず）によれば、表示基部１４は、動物２をその搬送のために水が充填されたプラスチックバッグのような包装材に包装するようにポリエチレン支持体のようなフロートを形成する支持体に取付けられる。
【００６１】
このような包装材は、通常、動物２が逆さまに、すなわち、枝部６がフロートに固着される基部１４と反対の方向に下方に延びた状態で漬けられる水が部分的に充填される。
【００６２】
図４は水４２が充填された水槽４０を示しており、水生動物２用の表示基部を形成する支持体１０の頭部１４が幹部１５からの分離後に水槽の床に設置される。
【００６３】
かくして、動物２は一般に砂が敷かれた床を有する水槽４０において、天然石の外観を有する上側頭部１４の水平の下面よりなる表示基部の下面に直接設定されてもよい。
【００６４】
図４でわかるように、基部１４は有利には水槽４０の床に設置される天然または人造岩４６に形成された相補形状の穴４４に受入れられる。
【００６５】
岩４６は自然環境と同様な砂礁を部分的に再構成するように種々の種の水生動物を支持する本発明による表示基部の挿入用の幾つかの穴４４を有してもよい。
【００６６】
人造岩４６は、軽量で多孔性であり、特にｐＨのような物理化学的パラメータを変更するように水槽４０内の水と反応しそうであるいずれの成分をも含有しないと言う利点を有する、支持体１０用に使用された材料と同様な材料をモールド成形することによって形成されてもよい。
【００６７】
水槽４０は本発明による養殖動物２を支持する表示基部１４を市場に出すためのたった１つの適用例である。
【００６８】
変更例として、基部および養殖動物は損傷珊瑚床を再構成したり、および／または本発明による養殖事業の発展のために群体を生じたりするのに使用されてもよい。
【００６９】
変更例として、本発明による装置の養殖テーブル２４は、岩４６のような装飾用人造石を、これがその浸漬により天然の海水に存在するバクテリア、藻または他の微生物の培養に使用されることができるように形成するのに使用されてもよい。
【００７０】
図５および図６は第１実施例との比較により以下に説明する本発明の第２実施例による支持体１０を示している。
【００７１】
この支持体１０は以上で説明し且つ図１に示したような水生動物２の繁殖による養殖に有利に使用される。
【００７２】
従って、同様にして、支持体１０は少なくとも１つの切片８を受入れるための上側頭部１４と、特装置において、変更例として搬送容器において支持体１０に留めるための下側幹部１６とを備えている。
【００７３】
第２実施例によれば、支持体１０は２つの別体の部分、つまり、上側頭部１４および下側幹部１６を備えており、これらの上側頭部１４および下側幹部１６は、操作の数にかかわらず、互いに組付けられてもよいし、或いはそれらの間の連結手段により分離されてもよい。
【００７４】
かくして、頭部１４の下面１９は、例えば下側幹部１６の少なくとも一部、この場合、その上端部を受入れるように設計されたハウジングを備えている。
【００７５】
かくして、幹部１６は、頭部１４が後で養殖動物２用の表示基部を構成するようにして頭部１４から容易に分離される。
【００７６】
幹部１６は適切な連結手段により、特に形状の協力により頭部１４と一体に形成されることができる。
【００７７】
好ましくは、頭部１４と幹部１６との連結は幹部１６の上端部を頭部１４の相補ハウジング２１に直接嵌めることによって達成される。
【００７８】
このような連結手段は形成するのに特に簡単であって、安価であり、そして支持体１０の２つの部分をすばやく且つ容易に連結したり分離したりすることが可能である。
【００７９】
かくして、幹部１６の上端部は、その頂面がハウジング２１の端壁部に当接するまで、頭部のハウジング２１を貫いている。
【００８０】
好ましくは、下側幹部１６は半径方向下方に延びていて、幹部１６および頭部１４の組付け後に、頭部４の下面１９と協力することができる当接上面２５を下側幹部１６の外面で境界決めするフランジ２３を備えている。
【００８１】
フランジ２３は有利には、目による確認により幹部１６が頭部１４に簡単に正しく嵌められるようにすることができる制御手段を構成している。
【００８２】
当然、先のように、頭部１４の下面１９はその後、例えば、図４に示すもののような天然または人造岩の穴４４に受入れられてもよい、天然石の外観を有する表示基部の下面を構成する。
【００８３】
有利には、岩４６の穴４４は、幹部１６と同様なペグを備えており、このペグはその端壁部から垂直方向下方に延びており、例えば頭部１４を穴４４に不動化し、および／または心出しすることが可能であるように上側頭部１４のハウジング２１を貫いてもよい。
【００８４】
変更例として、ハウジング２１は、有利には当接面を形成するフランジ２３を備えた下側幹部１６が頭部１４を通るように頭部１４の頂面に開口しているオリフィスである。
【００８５】
図６でわかるように、下側幹部１６は養殖装置の一部を構成する養殖テーブル２４のトレー２６の相補ハウジング２８に受入れられてもよい。
【００８６】
先のように、トレー２６が支持体１０用のハウジング２８を境界決めするセルを構成する格子３２またはクロス部材を有する種類のものである場合、フランジ２３の下面２７は有利にはトレー２６において支持体１０を軸方向に不動化するように頂面に軸方向に圧接している。
【００８７】
図７は図５と同様な図であって、第２実施例の変更例を示す部分概略斜視図である。
【００８８】
この変更例によれば、支持体１０の下側幹部１６は、上側頭部１４が例えば嵌合により取付けられる、垂直方向下方に延びている支え棒を構成するようにトレー２６と一体である。
【００８９】
好ましくは、フレーム３０により境界決めされている水平トレー２６を構成するプレートの頂面と一体である支え棒を構成する下側幹部１６は、この場合、幹部１６の頂面がハウジング２１の上端壁部に当接するまで幹部１６の上端部が頭部１４の下面１９のハウジング２１を貫くように、フランジ２３を備えていない。
【００９０】
変更例として、トレー２６が以上で説明し、図５に示された種類のものである場合、支え棒を構成する下側幹部１６はクロス部材３２と一体であり、有利には、２つのクロス部材３２の交差部に設置される。
【００９１】
当然、支持体１０が第１実施例により形成される場合、上側頭部１４の下面は、下側幹部１６からの分離後、破断開始部２２の帯域２０と、その後に表示基部の下面を構成する下面１９との間に軸方向に設けられる幹部１６の残部に対応するスタッブ（図示せず）を備えてもよい。
【００９２】
かくして、スタッブは、切片８から成長した水生動物２用の表示基部を受入れる岩４６の穴４２の端壁部に作られた相補ハウジングを貫くことができるように、下面１９から突出して軸方向下方に延びている。
【００９３】
スタッブとハウジングとの協力により、例えば、穴４２に頭部１４を不動化し、および／または心出しすることが可能である。
【００９４】
表示基部を構成する支持体１０の頭部１０が水槽４０の砂が敷かれた床に設置されると、このようなスタッブの存在は重要でない。しかしながら、基部の下面がほぼ平らであって、水平であることが望まれれば、例えば、研削砥石を使用して、下面１９を研削してスタッブを取除くことが可能である。
【００９５】
当然、第２実施例では、上側頭部１４と下側幹部１６との嵌合による連結は単に非制限例として挙げられており、この連結は例えばねじ止めまたはスナップ留めにより達成されることも可能である。
【００９６】
かくして、頭部１４および幹部１６が形状の協力により連結される場合、支持体１０のこれらの２つの部分は、直接に、或いは有利には頭部１４または幹部１６と一体である挿入体のような相補連結要素を介在させて間接的に連結されることができる。
【００９７】
可逆組付けのための相補形状は、例えば弾性クリップによって弾性的に互いに嵌ってもよい。
【００９８】
他の変更例（図示せず）によれば、上側頭部１４および下側幹部１６はねじ止めにより可逆的に組付けられてもよい。
【００９９】
雌部分を構成するボルトまたはねじキャップのようなねじ立て部材が、例えば、頭部１４の下面１９のハウジング２１に挿入され、好ましくは例えば接着剤接合により、或いは変更例として上記のようにモールド成形により形成されるときに、頭部１４に固着される。
【０１００】
幹部１６は、例えば、ねじロッドまたは首部を備えたボトルの上部分よりなり、その上端部にねじ立て部材と協力するように設計されている相補ねじ部を有している。
【０１０１】
好ましくは、ねじ止めによる連結手段は亜鉛めっきされた鋼または任意の他の適切な材料、例えばプラスチックのような良好な耐腐食性を有する材料で形成されている。
【０１０２】
当然、下側幹部１６がグリップ部分を構成しそうである場合、この幹部は好ましくは図に示されるもののような軸対称円筒体として形成される。
【０１０３】
変更例として、下側幹部１６は他の幾何形状、詳細には、特に幹部１６がトレー２６と一体である場合、切頭円錐形に形成されてもよい。
【図面の簡単な説明】
【０１０４】
【図１】繁殖のために使用すべき砕片の形態の切片が取出される対象の親群対からの水生動物を示す概略斜視図である。
【図２】切片がキャビテイに留められる前の本発明による養殖支持体の第１実施例を示す軸方向断面図である。
【図３】一方では、下側の幹部が養殖テーブルの水平トレーの相補ハウジングに軸方向に挿入される前の切片を備えた支持体を示し、他方では、養殖の終了時に「親」の動物が得られるまで、切片から始まる種々の成長段階で水生動物を（左から右へ）示す、幹部がハウジングにすでに挿入された支持体を示す本発明による養殖装置の概略斜視図である。
【図４】頭部が本発明による支持体の下側幹部から分離された後、表示基部が水生動物とともに受入れられる穴内の装飾用岩を床に備えている水槽の概略斜視図である。
【図５】切片がキャビテイに留められる前の本発明による養殖支持体の第２実施例の分解図を示す養殖装置の部分概略斜視図である。
【図６】第２実施例による支持体の下側幹部が挿入されるハウジングを有する図５による養殖装置の部分軸方向断面図である。
【図７】第２実施例の変更例を示す図５と同様な部分概略斜視図である。
【図１】
2005006655.tif 000003
【図２】
2005006655.tif 000004
【図３】
2005006655.tif 000005
【図４】
2005006655.tif 000006
【図５】
2005006655.tif 000007
【図６】
2005006655.tif 000008
【図７】
2005006655.tif 000009
【外国語明細書】
2005006655000001.pdf